【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
チタン触媒の存在下にモノマーを重合させることによって製造される、ポリブチレンテレフタレート（ＰＢＴ）繰り返し単位を有する少なくとも１つの成分を含む樹脂でのガス放出の低減方法であって、
モノマーの重合後に、チタン触媒失活化合物を前記樹脂に加えることを特徴とする方法。
【請求項２】
ポリブチレンテレフタレート（ＰＢＴ）繰り返し単位を有する少なくとも１つの成分を含む前記樹脂が、ＰＢＴ、ＰＢＴセグメントを有するコポリエーテルエステルエラストマー、ｃｏ−ＰＢＴ、およびこれらのいずれかの混合物から選択されることを特徴とする請求項１に記載の方法。
【請求項３】
前記チタン触媒失活化合物が式ＩＶ：
【化１】
2009531519.tif 000001
（式中、Ｒ1、Ｒ2およびＲ3は独立して、Ｈ、ＯＨ、ＯＭ（ここで、Ｍは正に帯電した対イオンである）、任意選択的に置換されてもよいＣ1~20アルキル、任意選択的に置換されてもよいＣ2~20アルキレン、任意選択的に置換されてもよいＣ6~20アリール、任意選択的に置換されてもよいＣ1~20アルキルオキシ、ポリオキシ（Ｃ2~4）アルキレン、および任意選択的に置換されてもよいＣ6~20アリールオキシから選択され、任意選択的な置換基は、独立して、Ｒ1、Ｒ2およびＲ3のいずれに関しても数が１〜２であり、かつ独立してＯＨ、ハロゲン、ＣＯＯＨ、ＣＯＯＲ4（ここで、Ｒ4はＣ1~4アルキルである）およびＮＨ2から選択され、
任意選択的に、Ｒ1、Ｒ2およびＲ3の２つ以上を、架橋によって連結することができ、
Ｒ1、Ｒ2およびＲ3が同時にＨではなく、かつ、Ｒ1、Ｒ2およびＲ3が同時にＯＨではないことを条件とする）
の化合物、またはその塩から選択されることを特徴とする請求項１に記載の方法。
【請求項４】
ポリブチレンテレフタレート（ＰＢＴ）繰り返し単位を有する少なくとも１つの成分を含む樹脂であって、０．０１〜３重量％の式ＩＶ”：
【化２】
2009531519.tif 000002
の化合物、または０．０１〜３重量％フェニルホスフィネート、または０．０１〜３重量％の２，２’−メチレンビス−（４，６−ジ第三ブチルフェニル）リン酸ナトリウムをさらに含むことを特徴とする樹脂。
【手続補正２】
【補正対象書類名】明細書
【補正対象項目名】００５１
【補正方法】変更
【補正の内容】
【００５１】
ガス放出についての生成樹脂の試験は、多くの技法によって行われてもよい。樹脂からの総有機炭素排出量を評価するために用いられてもよい技法の例は、Ｖｅｒｂａｎｄ  ｄｅｒ  Ａｕｔｏｍｏｂｉｌｉｎｄｕｓｔｒｉｅ［独国自動車工業協会（ＶＤＡ）］標準ＶＤＡ２７７に記載されている。
以下に、本発明の好ましい態様を示す。
［１］  チタン触媒の存在下にモノマーを重合させることによって製造される、ポリブチレンテレフタレート（ＰＢＴ）繰り返し単位を有する少なくとも１つの成分を含む樹脂でのガス放出の低減方法であって、
モノマーの重合後に、チタン触媒失活化合物を前記樹脂に加えることを特徴とする方法。
［２］  ポリブチレンテレフタレート（ＰＢＴ）繰り返し単位を有する少なくとも１つの成分を含む前記樹脂が、ＰＢＴ、ＰＢＴセグメントを有するコポリエーテルエステルエラストマー、ｃｏ−ＰＢＴ、およびこれらのいずれかの混合物から選択されることを特徴とする［１］に記載の方法。
［３］  前記チタン触媒失活化合物が式ＩＶ：
【化３】
2009531519.tif 000003
（式中、Ｒ1、Ｒ2およびＲ3は独立して、Ｈ、ＯＨ、ＯＭ（ここで、Ｍは正に帯電した対イオンである）、任意選択的に置換されてもよいＣ1~20アルキル、任意選択的に置換されてもよいＣ2~20アルキレン、任意選択的に置換されてもよいＣ6~20アリール、任意選択的に置換されてもよいＣ1~20アルキルオキシ、ポリオキシ（Ｃ2~4）アルキレン、および任意選択的に置換されてもよいＣ6~20アリールオキシから選択され、任意選択的な置換基は、独立して、Ｒ1、Ｒ2およびＲ3のいずれに関しても数が１〜２であり、かつ独立してＯＨ、ハロゲン、ＣＯＯＨ、ＣＯＯＲ4（ここで、Ｒ4はＣ1~4アルキルである）およびＮＨ2から選択され、
任意選択的に、Ｒ1、Ｒ2およびＲ3の２つ以上を、架橋によって連結することができ、
Ｒ1、Ｒ2およびＲ3が同時にＨではなく、かつ、Ｒ1、Ｒ2およびＲ3が同時にＯＨではないことを条件とする）
の化合物、またはその塩から選択されることを特徴とする［１］に記載の方法。
［４］  前記チタン触媒失活化合物が式ＩＶ’：
【化４】
2009531519.tif 000004
（式中、Ｒ1およびＲ2は独立して、Ｈ、ＯＨ、ＯＭ（ここで、Ｍは正に帯電した対イオンである）、任意選択的に置換されてもよいＣ1~20アルキル、任意選択的に置換されてもよいＣ2~20アルキレン、任意選択的に置換されてもよいＣ6~20アリール、任意選択的に置換されてもよいＣ1~20アルキルオキシ、ポリオキシ（Ｃ2~4）アルキレン、および任意選択的に置換されてもよいＣ6~20アリールオキシから選択され、任意選択的な置換基は、独立して、Ｒ1かＲ2かのいずれに関しても数が１〜２であり、かつ独立して、ＯＨ、ハロゲン、ＣＯＯＨ、ＣＯＯＲ4（ここで、Ｒ4はＣ1~4アルキルである）およびＮＨ2から選択され、
任意選択的に、Ｒ1、Ｒ2およびＲ3の２つ以上を、架橋によって連結することができ、
Ｒ1およびＲ2が同時にＯＨではないことを条件とする）
の化合物、またはその塩から選択されることを特徴とする［１］に記載の方法。
［５］  式ＩＶの化合物中のＲ1が、フェニル、エチル、Ｈ、２−（カルボキシ）エチル、ポリオキシエチレン、ヒドロキシメチル、ジ−ｔ−ブトキシフェノキシ、およびエトキシから選択されることを特徴とする［３］に記載の方法。
［６］  式ＩＶ’の化合物中のＲ1が、フェニル、エチル、Ｈ、２−（カルボキシ）エチル、ポリオキシエチレン、ヒドロキシメチル、ジ−ｔ−ブトキシフェノキシ、およびエトキシから選択されることを特徴とする［４］に記載の方法。
［７］  式ＩＶの化合物中のＲ2が、フェニル、エチル、Ｈ、２−（カルボキシ）エチル、ポリオキシエチレン、ヒドロキシメチル、ジ−ｔ−ブトキシフェノキシ、およびエトキシから選択されることを特徴とする［３］に記載の方法。
［８］  式ＩＶ’の化合物中のＲ2が、フェニル、エチル、Ｈ、２−（カルボキシ）エチル、ポリオキシエチレン、ヒドロキシメチル、ジ−ｔ−ブトキシフェノキシ、およびエトキシから選択されることを特徴とする［４］に記載の方法。
［９］  前記チタン触媒失活化合物が、フェニルホスフィネートであることを特徴とする［１］に記載の方法。
［１０］  前記チタン触媒失活化合物が、次亜リン酸ナトリウムまたは次亜リン酸カリウムであることを特徴とする［１］に記載の方法。
［１１］  前記チタン触媒失活化合物が、３−（ヒドロキシフェニルホスフィニル）プロパン酸であることを特徴とする［１］に記載の方法。
［１２］  前記チタン触媒失活化合物が、リン酸のモノ−、ジ−またはトリ−塩であることを特徴とする［１］に記載の方法。
［１３］  前記チタン触媒失活化合物が、ジ（ポリオキシエチレン）ヒドロキシメチルホスホネートであることを特徴とする［１］に記載の方法。
［１４］  前記チタン触媒失活化合物が、２，２’−メチレンビス−（４，６−ジ第三ブチルフェニル）リン酸ナトリウムであることを特徴とする［１］に記載の方法。
［１５］  前記チタン触媒失活化合物が、ジエチルホスフィン酸のアルミニウム塩であることを特徴とする［１］に記載の方法。
［１６］  前記チタン触媒失活化合物が、０．０１〜２重量％の濃度で前記樹脂に加えられることを特徴とする［１］に記載の方法。
［１７］  ポリブチレンテレフタレート（ＰＢＴ）繰り返し単位を有する少なくとも１つの成分を含む前記樹脂が、コポリエーテルエステルエラストマーであることを特徴とする［１］に記載の方法。
［１８］  ポリブチレンテレフタレート（ＰＢＴ）繰り返し単位を有する少なくとも１つの成分を含む前記樹脂が、ＰＢＴであることを特徴とする［１］に記載の方法。
［１９］  ポリブチレンテレフタレート（ＰＢＴ）繰り返し単位を有する少なくとも１つの成分を含む樹脂であって、０．０１〜３重量％の式ＩＶ”：
【化５】
2009531519.tif 000005
の化合物、または０．０１〜３重量％フェニルホスフィネート、または０．０１〜３重量％の２，２’−メチレンビス−（４，６−ジ第三ブチルフェニル）リン酸ナトリウムをさらに含むことを特徴とする樹脂。
［２０］  ポリブチレンテレフタレート（ＰＢＴ）繰り返し単位を有する前記少なくとも１つの成分が、ＰＢＴ、ＰＢＴセグメントを有するコポリエーテルエステルエラストマー、ｃｏ−ＰＢＴ、およびこれらのいずれかの混合物から選択されることを特徴とする［１９］に記載の樹脂。
［２１］  ポリブチレンテレフタレート（ＰＢＴ）繰り返し単位を有する前記少なくとも１つの成分が、ＰＢＴセグメントを有するコポリエーテルエステルエラストマーであることを特徴とする［１９］に記載の樹脂。
［２２］  ポリブチレンテレフタレート（ＰＢＴ）繰り返し単位を有する前記少なくとも１つの成分が、ＰＢＴであることを特徴とする［１９］に記載の樹脂。
［２３］  ０．０１〜３重量％の式ＩＶ”：
【化６】
2009531519.tif 000006
の化合物を含むことを特徴とする［１９］に記載の樹脂。